(57)【特許請求の範囲】
【請求項１】
モニタラン機能を有するモニタラン機能部と論理部とを備え、
前記モニタラン機能部は、既設ＣＴＣ中央装置からＣＴＣ駅装置に発信される表示ポーリングに同期して前記ＣＴＣ駅装置から返信される表示情報を前記既設ＣＴＣ中央装置の受信タイミングで取得し、前記表示情報を入力順に前記論理部に伝送させることを特徴とするモニタラン機能付きＣＴＣ中央装置。
【請求項２】
請求項１に記載のモニタラン機能付きＣＴＣ中央装置であって、前記モニタラン機能をＯＮとする試験時モードと、前記モニタラン機能をＯＦＦとする通常モードと、を切り替える切替部を備えることを特徴とするモニタラン機能付きＣＴＣ中央装置。
【請求項３】
請求項１又は２に記載のモニタラン機能付きＣＴＣ中央装置であって、処理部と、前記ＣＴＣ駅装置に前記表示ポーリングを送信し、前記ＣＴＣ駅装置から前記表示情報を受信する送受信部を備え、前記処理部は、試験時モードの場合には前記送受信部からの送信を停止させ、前記送受信部が受信した前記表示情報が伝送区間内駅からの情報であることを確認することを特徴とするモニタラン機能付きＣＴＣ中央装置。
【請求項４】
請求項１乃至３のいずれか１項に記載のモニタラン機能付きＣＴＣ中央装置であって、送受信部が受信した前記表示情報を順次書き換えて記憶する記憶部を備えることを特徴とするモニタラン機能付きＣＴＣ中央装置。
【請求項５】
ＣＴＣ中央装置からＣＴＣ駅装置に表示ポーリングを送信するステップと、
前記ＣＴＣ駅装置からの表示情報を既設ＣＴＣ中央装置の受信タイミングで取得するステップと、
前記表示情報を入力順に論理部に伝送させるステップと、を備えることを特徴とするＣＴＣ中央装置の更新方法。
【請求項６】
請求項５に記載のＣＴＣ中央装置の更新方法において、モニタラン機能付きＣＴＣ中央装置は、前記ＣＴＣ駅装置から送信された前記表示情報を順次処理することを特徴とするＣＴＣ中央装置の更新方法。
【請求項７】
請求項５又は６に記載のＣＴＣ中央装置の更新方法において、モニタラン機能付きＣＴＣ中央装置は、送信された前記表示情報が全ての伝送区間内駅からの情報であることを確認し、所定の前記論理部及び上位装置であるＰＲＣ装置について全ての調整が終了するまで処理することを特徴とするＣＴＣ中央装置の更新方法。
【発明の詳細な説明】
【技術分野】
【０００１】
本発明は、モニタラン機能付きＣＴＣ中央装置及びＣＴＣ中央装置の更新方法に係り、特に、更新時において、ＣＴＣ駅装置との調整を行うモニタラン機能付きＣＴＣ中央装置及びＣＴＣ中央装置の更新方法に関する。
【背景技術】
【０００２】
「ＣＴＣ中央装置」とは、列車集中制御（Ｃｅｎｔｒａｌｉｚｅｄ  Ｔｒａｆｆｉｃ  Ｃｏｎｔｒｏｌｅ）装置の略称であり、鉄道において路線などで信号及び分岐器などの連動装置を運転指令所又は列車制御所において遠隔制御できる装置をいう。また、「ＰＲＣ装置」とは、列車進路制御（Ｐｒｏｇｒａｍｍｅｄ  Ｒｏｕｔｅ  Ｃｏｎｔｒｏｌ）装置の略称であり、信号及び分岐器などを自動操作する装置をいう。このＰＲＣ装置は列車運行ダイヤを作成して管理する情報処理装置（ＥＤＰ）と、駅の信号及び分岐器などを集中制御する列車集中制御装置（ＣＴＣ）の仲介をする装置であり、ＥＤＰから受け取った運行ダイヤの情報と、ＣＴＣから入手した制御する列車の在線状況を元に信号及び分岐器などの動作を判断し、ＣＴＣへ動作指示を行う装置である。
【０００３】
図４に、モニタラン装置３２が接続された従来のＣＴＣ中央装置２０の１つの実施形態の概略構成をブロック図で示す。既設ＣＴＣ中央装置２４及び既設ＰＲＣ装置２２の更新時には、既設のＣＴＣ回線からの情報を横取りするためのモニタラン装置３２をＨＹＢ３４を介して設置し、新設ＰＲＣ装置２３の自動制御タイミング、或いは新設ＣＴＣ中央装置２５の自動復位タイミングなどの調整をＣＴＣ駅装置３３と行う。なお、新設ＰＲＣ装置２３を設置する際に新設ＣＴＣ中央装置２５が既に設置されている場合は、新設ＣＴＣ中央装置２５を稼働させながら追加となる新設ＰＲＣ装置２３を併設してモニタラン装置３２による試験が行われる。
【０００４】
図４に示すように、既設ＰＲＣ装置２２が接続された既設ＣＴＣ中央装置２４は、伝送区間内駅にそれぞれ設けられたＣＴＣ駅装置３３に接続される。図４では、ＣＴＣ駅装置３３の例示としてＡ駅，Ｂ駅，Ｃ駅の３駅を挙げるが、この駅数には限らない。また、既設ＣＴＣ中央装置２４には、論理部２６及び伝送部２７が備えられる。伝送部２７は、ＣＴＣ駅装置３３に表示ポーリング３５ａを行い、ＣＴＣ駅装置３３から表示情報３６ａを受信する。伝送部２７は、さらに、その表示情報３６ａを論理部２６に伝送し、既存ＰＲＣ装置２２に情報が伝送される。
【０００５】
この既設ＰＲＣ装置２２又は既設ＣＴＣ中央装置２４が更新される場合には、新設ＰＲＣ装置２３が接続された新設ＣＴＣ中央装置２５にモニタラン装置３２が接続される。新設ＣＴＣ中央装置２５には、既設ＣＴＣ中央装置２４と同様に論理部２６及び伝送部２７が備えられる。モニタラン装置３２は、送信部２８、受信部２９、処理部３０、記憶部３１から構成される。送信部２８は、新設ＣＴＣ中央装置２５の伝送部２７に表示情報３６ｂを送信する。受信部２９は、新設ＣＴＣ中央装置２５の伝送部２７からの表示ポーリング３５ｂを受信する。また、ＣＴＣ駅装置３３からの表示情報３６ｂを受信する。処理部３０は、ＣＴＣ駅装置３３からの表示情報３６ｂを記憶部３１に記憶させる。記憶部３１は、ＣＴＣ駅装置３３からの表示情報３６ｂを所定のアドレスに記憶する。
【０００６】
図５に、ＣＴＣ駅装置から送信された表示情報に関する処理方法の１つの実施例を示す。ここでは、伝送区間内駅の例としてＡ駅、Ｂ駅、Ｃ駅・・・Ｘ駅を例示するが、これらの駅数には限らない。既設ＣＴＣ中央装置２４の伝送部２７は、ＣＴＣ駅装置３３に対して表示ポーリング３５ａを発信する。図５では、丸で囲まれた数字の順にＣＴＣ駅装置３３を選択して順番に表示ポーリング３５ａを発信するが、この順番には限らない。表示ポーリング３５ａを受信した伝送区間内駅のＣＴＣ駅装置３３は、既設ＣＴＣ中央装置２４の伝送部２７に表示情報３６ａを返信する。
【０００７】
このとき、返信された表示情報３６ａは、分岐されてモニタラン装置３２の記憶部３１の所定のアドレスに一旦記憶される。そして、モニタラン装置３２の処理部３０は、新設ＣＴＣ中央装置２５からの表示ポーリング３５ｂに応答して各表示情報３６ｂを伝送部２７に送信する。このように、記憶部３１に一旦記憶された表示情報３６ａは、新設ＣＴＣ中央装置２５からの表示ポーリング３５ｂに応答して伝送部２７に送信されるため既設ＣＴＣ中央装置２４と、新設ＣＴＣ中央装置２５とでは、１サイクル分だけ表示情報３６の入力のタイミングが遅くなる。
【０００８】
さらに、図６に、従来のＣＴＣ中央装置２０の更新方法の概略構成をフローチャートで示す。モニタラン装置３２が接続されたＣＴＣ中央装置２０の更新方法の各ステップは、Ｓ１〜Ｓ５の符号で示す。
【０００９】
まず、既設ＣＴＣ中央装置２４にモニタラン装置３２を介して新設ＣＴＣ中央装置２５を接続する（Ｓ１）。次に、既設ＣＴＣ中央装置２４からＣＴＣ駅装置３３に表示ポーリング３５ａを送信する（Ｓ２）。次に、ＣＴＣ駅装置３３から既設ＣＴＣ中央装置２４へ送信された表示情報３６ａが分岐され、モニタラン装置３２を介して新設ＣＴＣ中央装置２５が受信する（Ｓ３）。そして、ＣＴＣ駅装置３３とＰＲＣの自己制御タイミング，ＣＴＣ自動復位タイミングなどの調整を行う（Ｓ４）。さらに、伝送区間内駅の新設ＣＴＣ中央装置２５の論理部２６及び上位装置である新設ＰＲＣ装置２３のすべてについて調整を行ったか否かが判断され（Ｓ５）、調整を行っていない伝送区間内駅の新設ＣＴＣ中央装置２５の論理部２６及び上位装置である新設ＰＲＣ装置２３がある場合はステップＳ２に戻り、調整を行っていない伝送区間内駅の新設ＣＴＣ中央装置２５の論理部２６及び上位装置である新設ＰＲＣ装置２３がない場合は終了する。
【００１０】
特許文献１には、新設ＣＴＣ駅装置の完備を待たずにＣＴＣやＰＲＣのモニタラン試験を行うＣＴＣ更新用装置が開示されている。ここでは、既設のＣＴＣ回線に接続されて旧形式の伝文を受信する旧回線伝送部と、新設のＣＴＣ回線に接続されて新形式の伝文を送受信する新回線伝送部とを具備したＣＴＣ更新用装置について、旧回線伝送部には、受信した全伝文から表示情報の伝文を抽出させ、新回線伝送部には、各駅の現場設備の表示情報をデータ保持している駅状態テーブルについて旧回線伝送部の抽出した伝文の表示情報に基づいて該当データを更新させ、更にＣＴＣ回線を介するポーリングの伝文を受信したときに制御情報は無視するが表示情報の求めには応じて駅状態テーブルに基づき表示情報の伝文を新形式で作成してＣＴＣ回線経由で返信させる。このようなＣＴＣ更新用装置を新旧システムに介在させてモニタラン試験を行う、との記載がある。
【００１１】
特許文献２には、列車運行管理システムのシステム試験の精度を向上させる列車運行管理システムの試験装置及び試験方法が開示されている。ここでは、稼動中の列車運行管理システムと、列車運行管理システムの試験のために、列車運行管理システムと等価な環境を備えた試験系システムと、稼動中の列車運行管理システムと試験系システムとの間を接続するゲートウェイ装置を備える。そして、ゲートウェイ装置は、稼動中の列車運行管理システムに入力される通信データを試験データとして試験系システムへ転送する。試験系システムには、ゲートウェイ装置から転送される通信データを試験データとして入力して試験を実施するときに、試験データの受信可否を制御するモニタランマスク処理部を備えることで、試験の制度を向上させることが記載されている。
【先行技術文献】
【特許文献】
【００１２】
【特許文献１】特開２００９−２３４４２８号公報
【特許文献２】特開２０１０−２８０２７９号公報
【発明の概要】
【発明が解決しようとする課題】
【００１３】
モニタラン装置は、ＣＴＣ中央装置などの更新の試験時にのみ使用する装置である。従って、通常時にはメンテナンスを行って故障や機能の劣化を防止しながら保管しければならない。また、更新の試験時にはモニタラン装置の設置場所を検討して確保しなければならない。さらに、機器購入費用やメンテナンス費用が嵩むなどの問題がある。
【００１４】
モニタラン装置は、既設のＣＴＣ回線から分岐して取得した表示情報をモニタラン装置の内部で一旦記憶し、新設ＣＴＣ中央装置からの表示ポーリングに応答して表示情報を、新設ＣＴＣ中央装置に送信する。そのため、新設ＣＴＣ中央装置は、既設ＣＴＣ中央装置と比較して１サイクル分だけＣＴＣ駅装置からの表示情報の入力タイミングが遅れてしまうという問題がある。
【００１５】
本願の目的は、かかる課題を解決し、モニタラン装置を用いずにＣＴＣ中央装置の更新の際の試験が簡易に実施でき、ＣＴＣ駅装置からの表示情報の受信を簡略化できるモニタラン機能付きＣＴＣ中央装置及びＣＴＣ中央装置の更新方法を提供することである。
【課題を解決するための手段】
【００１６】
上記目的を達成するため、本発明に係るモニタラン機能付きＣＴＣ中央装置は、モニタラン機能を有するモニタラン機能部と論理部とを備え、モニタラン機能部は、既設ＣＴＣ中央装置からＣＴＣ駅装置に発信される表示ポーリングに同期してＣＴＣ駅装置から返信される表示情報を既設ＣＴＣ中央装置の受信タイミングで取得し、表示情報を入力順に論理部に伝送させることを特徴とする。
【００１７】
上記構成により、モニタラン機能付きＣＴＣ中央装置は、従来のモニタラン装置を用いずに、更新される新設ＣＴＣ中央装置の内部にモニタラン機能を内蔵する。このため、ＣＴＣ中央装置などの更新がモニタラン装置を用いずに簡易に実施できる。また、モニタラン機能付きＣＴＣ中央装置は、従来のＣＴＣ中央装置にソフトウエアを追加するだけで機能を発揮するため、経済的な装置となる。
【００１８】
また、モニタラン機能付きＣＴＣ中央装置は、従来のモニタラン装置のようにＣＴＣ駅装置に対して自ら表示ポーリングを行わず、既設ＣＴＣ中央装置がＣＴＣ駅装置に送信する表示ポーリングに同期してＣＴＣ駅装置から表示情報を分岐して取得する。すなわち、既設ＣＴＣ中央装置への情報の流れがあたかも横取りしたかのように分岐されてモニタラン機能付きＣＴＣ中央装置に流れる。従って、ＣＴＣ駅装置からの表示情報の入力タイミングが遅れずに取得でき、ＣＴＣ駅装置からの受信が簡略化できる。
【００１９】
また、モニタラン機能付きＣＴＣ中央装置は、論理部と伝送部とを備え、伝送部は、各ＣＴＣ駅装置から受信した表示情報を順次論理部に伝送することが好ましい。このように、従来のＣＴＣ中央装置では、伝送部がＣＴＣ駅装置に表示ポーリングを行っていたが、本発明に係るモニタラン機能付きＣＴＣ中央装置では表示ポーリングを行わず、各ＣＴＣ駅装置から受信した表示情報を順次論理部に伝送するという機能のみとすることで、ＣＴＣ駅装置からの表示情報の入力タイミングが遅れずに取得でき、ＣＴＣ駅装置からの受信が簡略化できる。
【００２０】
また、モニタラン機能付きＣＴＣ中央装置は、モニタラン機能をＯＮとする試験時モードと、モニタラン機能をＯＦＦとする通常モードと、を切り替える処理部を備えることが好ましい。これにより、モニタラン機能付きＣＴＣ中央装置を更新時に使用する場合と、更新後に使用する場合とでモードの切り替えを行い、効率的に使用することができる。
【００２１】
また、モニタラン機能付きＣＴＣ中央装置は、処理部と、ＣＴＣ駅装置に表示ポーリングを送信し、ＣＴＣ駅装置から表示情報を受信する送受信部を備え、処理部は、試験時モードの場合には送受信部からの送信を停止させ、送受信部が受信した表示情報が伝送区間内駅からの情報であることを確認することが好ましい。これにより、モニタラン機能付きＣＴＣ中央装置を更新時に使用する場合と、更新後に使用する場合とでモードの切り替えを行い、更新後に使用する場合には、自ら表示ポーリングを行う機能を選択することができる。
【００２２】
また、モニタラン機能付きＣＴＣ中央装置は、送受信部が受信した表示情報を順次書き換えて記憶する記憶部を備えることが好ましい。これにより、ＣＴＣ駅装置から受信した表示情報を一時的に保管するだけになりデータ処理を簡略化できる。
【００２３】
上記目的を達成するため、本発明に係るＣＴＣ中央装置の更新方法は、ＣＴＣ中央装置からＣＴＣ駅装置に表示ポーリングを送信するステップと、ＣＴＣ駅装置からの表示情報を既設ＣＴＣ中央装置の受信タイミングで取得するステップと、表示情報を入力順に論理部に伝送させるステップとを備えることを特徴とする。
【００２４】
上記構成により、ＣＴＣ中央装置の更新方法は、従来のモニタラン装置を用いずに、内部にモニタラン機能が内蔵されたＣＴＣ中央装置が既設ＣＴＣ中央装置に接続される。このため、ＣＴＣ中央装置などの更新がモニタラン装置を用いずに簡易に実施できる。また、モニタラン機能付きＣＴＣ中央装置は、従来のＣＴＣ中央装置にソフトウエアを追加するだけで機能を発揮するため、簡易な方法によりＣＴＣ中央装置の更新ができる。
【００２５】
また、ＣＴＣ中央装置の更新方法は、従来のモニタラン装置のようにＣＴＣ駅装置に対して自ら表示ポーリングを行わず、既設ＣＴＣ中央装置がＣＴＣ駅装置に送信する表示ポーリングに同期してＣＴＣ駅装置から表示情報を分岐して取得する。すなわち、既設ＣＴＣ中央装置への情報の流れが、あたかも横取りしたかのように分岐されてモニタラン機能付きＣＴＣ中央装置に流れる。従って、ＣＴＣ駅装置からの表示情報の入力タイミングが遅れずに取得でき、ＣＴＣ駅装置からの受信が簡略化できる。
【００２６】
また、ＣＴＣ中央装置の更新方法は，モニタラン機能付きＣＴＣ中央装置が各ＣＴＣ駅装置から送信された表示情報を順次処理することが好ましい。このように、従来のＣＴＣ中央装置の更新方法では、伝送部によりＣＴＣ駅装置に表示ポーリングを行っていたが、本発明に係るＣＴＣ中央装置の更新方法では表示ポーリングを行わず、各ＣＴＣ駅装置から受信した表示情報を順次論理部に伝送するという機能のみとすることで、ＣＴＣ駅装置からの表示情報の入力タイミングが遅れずに取得でき、ＣＴＣ駅装置からの受信が簡略化できる。
【００２７】
さらに、ＣＴＣ中央装置の更新方法は、モニタラン機能付きＣＴＣ中央装置は、送信された表示情報が全ての伝送区間内駅からの情報であることを確認し、所定の論理部及び上位装置であるＰＲＣ装置について全ての調整が終了するまで処理することが好ましい。これにより、管理範囲のＣＴＣ駅すべてについて調整を行うことができる。
【発明の効果】
【００２８】
以上のように、本発明に係るモニタラン機能付きＣＴＣ中央装置によれば、、モニタラン装置を用いずにＣＴＣ中央装置の更新の際の試験が簡易に実施でき、ＣＴＣ駅装置からの表示情報の受信を簡略化できるモニタラン機能付きＣＴＣ中央装置及びＣＴＣ中央装置の更新方法を提供することができる。
【図面の簡単な説明】
【００２９】
【図１】本発明に係るモニタラン機能付きＣＴＣ中央装置の１つの実施形態の概略構成を示すブロック図である。
【図２】ＣＴＣ駅装置から送信された表示情報に関する処理方法の１つの実施例を示す説明図である。
【図３】本発明に係るＣＴＣ中央装置の更新方法の概略構成を示すフローチャートである。
【図４】従来のＣＴＣ中央装置の１つの実施形態の概略構成を示すブロック図である。
【図５】従来のＣＴＣ中央装置の更新方法の概略構成を示すフローチャートである。
【図６】従来のＣＴＣ駅装置から送信された表示情報に関する処理方法の１つの実施例を示す説明図である。
【発明を実施するための形態】
【００３０】
（モニタラン機能付きＣＴＣ中央装置）
以下に、図面を用いて本発明に係るモニタラン機能付きＣＴＣ中央装置１の実施形態につき、詳細に説明する。図１に、本発明に係るモニタラン機能付きＣＴＣ中央装置１の１つの実施形態の概略構成をブロック図で示す。また、図２に、ＣＴＣ駅装置１３から送信された表示情報１６ａに関する処理方法の１つの実施例を示す。
【００３１】
既設ＣＴＣ中央装置４及び既設ＰＲＣ装置２の更新時には、既設のＣＴＣ回線からの情報を受信するためのモニタラン機能１８を備えたモニタラン機能付きＣＴＣ中央装置１をＨＹＢ１４を介して既設ＣＴＣ中央装置４に接続する。また、モニタラン機能付きＣＴＣ中央装置１には、上位装置である新設ＰＲＣ装置３が接続される。そして新設ＰＲＣ装置３の自動制御タイミング、或いは新設ＣＴＣ中央装置５の自動復位タイミングなどの調整をＣＴＣ駅装置１３と行う。なお、新設ＰＲＣ装置３を設置する際に新設ＣＴＣ中央装置５が既に設置されている場合は、新設ＣＴＣ中央装置５を稼働させながら追加となる新設ＰＲＣ装置３を併設してモニタラン機能による試験が行われる。そして、既設ＣＴＣ中央装置４及び既設ＰＲＣ装置２を新設ＣＴＣ中央装置５及び新設ＰＲＣ装置３に更新し、調整が完了すると、モニタラン機能付きＣＴＣ中央装置１は新設ＣＴＣ中央装置５として通常の機能を発揮する。
【００３２】
図１に示すように、既設ＰＲＣ装置２が接続された既設ＣＴＣ中央装置４は、伝送区間内駅にそれぞれ設けられたＣＴＣ駅装置１３に接続される。図１では、ＣＴＣ駅装置１３の例示としてＡ駅，Ｂ駅，Ｃ駅の３駅を挙げるが、この駅数には限らない。また、既設ＣＴＣ中央装置４には、論理部６及び伝送部７が備えられる。伝送部７は、ＣＴＣ駅装置１３に表示ポーリング１５を行い、ＣＴＣ駅装置１３から表示情報１６ａを受信する。伝送部７は、さらに、その表示情報１６ａを論理部６に伝送し、さらに、上位装置である既設ＰＲＣ装置２に情報が伝送される。
【００３３】
この既設ＰＲＣ装置２又は既設ＣＴＣ中央装置４が更新される場合には、既設ＣＴＣ中央装置４が新モニタラン機能１８を備えた新設ＣＴＣ中央装置５に接続される。モニタラン機能１８を備えた新設ＣＴＣ中央装置５には、既設ＣＴＣ中央装置４と同様に論理部６及び伝送部７が備えられる。このように、モニタラン機能付きＣＴＣ中央装置１は、試験を完了して既設ＣＴＣ中央装置４に更新された後において既設ＣＴＣ中央装置４と同様の機能を発揮するため既設ＰＲＣ装置２と同じ構成を備える。
【００３４】
モニタラン機能１８は、モード切替部９、送受信部８、処理部１０、及び記憶部１１から構成される。そして、モニタラン機能１８は、既設ＣＴＣ中央装置４がＣＴＣ駅装置１３に送信する表示ポーリング１５に同期してＣＴＣ駅装置１３から表示情報１６ａを分岐して取得する機能を有する。すなわち、既設ＣＴＣ中央装置４への情報の流れがあたかも横取りしたかのように分岐されてモニタラン機能付きＣＴＣ中央装置１に流れる。
【００３５】
モード切替部９は、モニタラン機能付きＣＴＣ中央装置１がモニタラン機能をＯＮとする試験時モードと、モニタラン機能をＯＦＦとする通常モードと、を切り替える。この切り替えは、切替スイッチ１９により選択される。すなわち、モニタラン機能付きＣＴＣ中央装置１は、更新に際してモニタラン機能をＯＮとして調整を行う試験時モードとして用いられる。そして、試験完了後は、通常モードとしてＣＴＣ中央装置１の機能を発揮して用いられる。この切り替えは、装置の外部に設けられた切替スイッチ１９により切り替えられる。
【００３６】
送受信部８は、ＣＴＣ駅装置１３からの表示情報１６ａの受信、新設ＣＴＣ中央装置５の伝送部７との送受信を行う。この送受信部８は、上述した通常モードでは、ＣＴＣ駅装置１３への表示ポーリングの送信、及びＣＴＣ駅装置１３からの表示情報の送受信を行う。しかし、試験時モードでは、ＣＴＣ駅装置１３への表示ポーリングの送信は行わない。つまり、既設ＣＴＣ中央装置４からＣＴＣ駅装置１３に送信された表示ポーリング１５に同期し、既設ＣＴＣ中央装置４からの表示情報１６ａを受信する。そして、この表示情報１６ａを新設ＣＴＣ中央装置５の伝送部７に順次送信する。
【００３７】
記憶部１１は、ＣＴＣ駅装置１３から送信された表示情報１６ａを順次書き換えて記憶する。図５に示す従来のモニタラン装置３２が接続されたＣＴＣ中央装置２０では、ＣＴＣ駅ごとに設定された所定のアドレスに表示情報３６ａが格納されていた。しかし、本発明に係るモニタラン機能１８の記憶部１１は、ＣＴＣ駅装置１３から送信される表示情報１６ａを順次書き換えて記憶する。すなわち、モニタラン機能１８の記憶部１１は、レジスターとしての機能を有する。
【００３８】
処理部１０は、送受信部８に伝送部７との送受信およびＣＴＣ駅装置１３からの表示情報１６ａの受信を行わせる。また、記憶部に表示情報１６ａを記憶させる。記憶部１１に記憶された表示情報１６ａを順次伝送部７に表示情報１６ｂとして伝送させる。さらに、モード切替部９に切替スイッチ１９の入力に従い、モニタラン機能付きＣＴＣ中央装置１の切替をさせる。また、処理部１０は、試験時モードの場合には送受信部８からの表示ポーリングの送信を停止させる。さらに、送受信部８が受信した表示情報が伝送区間内駅からの情報であることを確認する．これは、既設ＣＴＣ中央装置４からの表示ポーリング１５によりＣＴＣ駅装置１３から送信された表示情報１６ａを順次処理するため、表示情報１６ａが正しい情報か否かを確認するためである。
【００３９】
（ＣＴＣ駅装置から送信された表示情報の処理方法）
図２に、ＣＴＣ駅装置１３から送信された表示情報１６ａに関する処理方法の１つの実施例を示す。ここでは、伝送区間内駅の例としてＡ駅、Ｂ駅、Ｃ駅・・・Ｘ駅を例示するが、これらの駅数には限らない。既設ＣＴＣ中央装置４の伝送部７は、ＣＴＣ駅装置１３に対して表示ポーリング１５を発信する。図２では、丸で囲まれた数字の順にＣＴＣ駅装置１３を選択して順番に表示ポーリング１５を発信するが、この順番には限らない。表示ポーリング１５を受信した伝送区間内駅のＣＴＣ駅装置１３は、既設ＣＴＣ中央装置４の伝送部７に表示情報１６ａを返信する。
【００４０】
このとき、返信された表示情報１６ａは、既設ＣＴＣ中央装置４の伝送部７が送信した表示ポーリング１５に同期して、モニタラン機能１８の記憶部１１に一旦記憶される。この表示情報１６ａは、各ＣＴＣ駅装置１３から入力された順に処理部１０により伝送部７に送信され、例えば、ＣＴＣ駅装置１３と新設ＰＲＣ装置３との自己制御タイミング，ＣＴＣ駅装置１３と新設ＣＴＣ中央装置５との自動復位タイミングなどの調整が行われる。すなわち、新設ＣＴＣ中央装置５の伝送部７は、更新の試験時には、表示ポーリングを行わないため、ＣＴＣ駅装置１３から送信された表示情報１６ａは処理部１０により順次処理され、新設ＣＴＣ中央装置５の伝送部７に表示情報１６ｂとして順次送信される。そして、処理部１０は、試験時モードの場合には送受信部８からの送信を停止させ、送受信部８が受信した表示情報が伝送区間内駅からの情報であることを確認する。
【００４１】
（ＣＴＣ中央装置の更新方法）
図３に、本発明に係るＣＴＣ中央装置１の更新方法の概略構成をフローチャートで示す。各ステップはＳ1〜Ｓ５の符号で示される。
【００４２】
まず、既設ＣＴＣ中央装置４にモニタラン機能付きＣＴＣ中央装置２０を接続する（Ｓ１）。次に、既設ＣＴＣ中央装置４からＣＴＣ駅装置１３に表示ポーリング１５を送信する（Ｓ２）。そして、ＣＴＣ駅装置１３からのポーリング１５に同期してＣＴＣ駅装置１３からの表示情報１６ａをモニタラン機能付きＣＴＣ中央装置２０が受信する（Ｓ３）。ＣＴＣ駅装置１３とＰＲＣの自己制御タイミング，ＣＴＣ自動復位タイミングなどの調整を行う（Ｓ４）。そして、伝送区間内駅の新設ＣＴＣ中央装置５の論理部６及び上位装置である新設ＰＲＣ装置３のすべてについて調整を行ったか否かが判断され（Ｓ５）、調整を行っていない場合はステップＳ２に戻り、調整を行っていない伝送区間内駅の新設ＣＴＣ中央装置５の論理部６及び上位装置である新設ＰＲＣ装置３がない場合は終了する。
【００４３】
モニタラン機能付きＣＴＣ中央装置１は、各ＣＴＣ駅装置１３から送信された表示情報１６ｂを順次処理する。すなわち、モニタラン機能付きＣＴＣ中央装置１は、既設ＣＴＣ中央装置４がＣＴＣ駅装置１３に送信する表示ポーリング１５に同期してＣＴＣ駅装置１３から表示情報１６ｂを分岐して取得する。すなわち、既設ＣＴＣ中央装置への情報の流れがあたかも横取りしたかのように分岐されてモニタラン機能付きＣＴＣ中央装置に流れる。図２に示すように、モニタラン機能付きＣＴＣ中央装置１のモニタラン機能１８は、記憶部１１を備えるが、ＣＴＣ駅装置１３から順次送信される表示情報１６ａは、順次処理される。従来のモニタラン装置３２では、各駅の表示情報３６ａは所定のアドレスに格納されるが、モニタラン機能１８の記憶部１１では入力された表示情報１６ａから順次処理される。
【００４４】
モニタラン機能付きＣＴＣ中央装置１は、送信された表示情報１６ａが伝送区間内駅からの情報であることを確認し、所定の論理部６及び上位装置である新設ＰＲＣ装置３について全ての調整が終了するまで処理する。すなわち、モニタラン機能付きＣＴＣ中央装置１のモニタラン機能１８の処理部１０は、入力された表示情報１６ａから順次処理するため、すべての伝送区間内駅からの情報を処理したか否かを確認する。また、所定の論理部６及び上位装置である新設ＰＲＣ装置３について調整がすべて終了するまで処理を継続する。
【００４５】
以上の実施形態で説明された構成、形状、大きさ、及び配置関係については、本発明が理解、実施できる程度に概略的に示したものにすぎない。従って、本発明は、説明された実施形態に限定されるものではなく、特許請求の範囲に示される技術的思想の範囲を逸脱しない限り様々な形態に変更することができる。
【符号の説明】
【００４６】
１  モニタラン機能付きＣＴＣ中央装置、２０  （モニタラン装置が接続された）ＣＴＣ中央装置、２,２２  既設ＰＲＣ装置、３,２３  新設ＰＲＣ装置、４,２４  既設ＣＴＣ中央装置、５,２５  新設ＣＴＣ中央装置、６,２６  論理部、７,２７  伝送部、８  送受信部、２８  送信部、９  モード切替部、２９  受信部、１０，３０  処理部、１１，３１  記憶部、１２,３２  モニタラン装置、１３,３３  ＣＴＣ駅装置、１４,３４  ＨＹＢ、１５,３５ａ，３５ｂ  表示ポーリング、１６ａ，１６ｂ,３６ａ，３６ｂ  表示情報、１８  モニタラン機能、１９  切替スイッチ。
【図１】
0006425926.tif 000002
【図２】
0006425926.tif 000003
【図３】
0006425926.tif 000004
【図４】
0006425926.tif 000005
【図５】
0006425926.tif 000006
【図６】
0006425926.tif 000007